(57)【要約】【課題】カメラ装置へのデータ転送を容易に行うことができるデータ保持装置、及びデータ転送方法を提供する。【解決手段】データ保持装置１は、デジタルカメラ５１がＵＳＢ接続されると、それに応答して、接続されたデジタルカメラ５１を識別する。しかる後、自己が有するデータ記憶装置７に当該デジタルカメラ５１に対応して事前に設けられている転送元フォルダ２０１内のデータを、デジタルカメラ５１が有する画像記録メモリ６９内の転送先フォルダ３０１に転送する。転送先フォルダ３０１が存在しないときは、転送に先立ちそれを作成する。静止画又は動画データについては、ユーザーの指示に従い、必要に応じてデジタルカメラ５１で使用可能なデータ形式や画像サイズへ変換してから、また静止画又は動画データ以外のデータについては、ユーザーが希望する場合のみ転送を実施する。【選択図】      図１
2006024046.tif 000002
【特許請求の範囲】
【請求項１】
撮像素子によって被写体画像を撮像して記録媒体に記録するとともに、記録した画像を表示手段に表示するカメラ装置に対し、自己が記憶するデータを転送可能なデータ保持装置であって、
前記データを記憶するデータ記憶手段と、
前記カメラ装置が接続されたことを検出する検出手段と、
この検出手段により前記カメラ装置の接続が検出されたことに応答して、前記データ記憶手段の所定の場所に記憶されているデータを前記カメラ装置に転送する転送手段と
を備えたことを特徴とするデータ保持装置。
【請求項２】
前記転送手段の転送対象となるデータを、転送先のカメラ装置が有するデータ処理機能に応じたデータに変換する変換手段を備えたことを特徴とする請求項１記載のデータ保持装置。
【請求項３】
前記検出手段により接続が検出されたカメラ装置を識別する識別手段を備え、
前記転送手段は、前記識別手段により識別されたカメラ装置に対応して設けられている所定の場所に記憶されているデータをそのカメラ装置に転送することをことを特徴とする請求項１又は２記載のデータ保持装置。
【請求項４】
前記転送手段により転送されるデータに、データ保持装置により転送されたものであることを示す転送情報を付加する付加手段を備えたことを特徴とする請求項１，２又は３記載のデータ保持装置。
【請求項５】
前記転送手段は、前記検出手段によりカメラ装置の接続が検出されたことに伴う、前記データ記憶手段の所定の場所に記憶されているデータの転送に先立って、転送先のカメラ装置に過去の転送動作によって記憶された既存するデータを削除する削除手段を含むことを特徴とする請求項１〜４のいずれか１項に記載のデータ保持装置。
【請求項６】
自己が記憶するデータを転送可能なデータ保持装置における、撮像素子によって被写体画像を撮像し記録媒体に記録するとともに、記録した画像を表示手段に表示するカメラ装置に対する前記データの転送方法であって、
前記カメラ装置が接続されたことを検出し、その検出に応答して、所定の場所に記憶されているデータを前記カメラ装置へ転送することを特徴とするデータ転送方法。
【請求項７】
撮像素子によって被写体画像を撮像し記録媒体に記録するとともに、記録した画像を表示手段に表示するカメラ装置に対し、自己が記憶するデータを転送可能なデータ保持装置が有するコンピュータに、
前記カメラ装置が接続されたことを検出する検出処理と、
この検出処理により前記カメラ装置の接続が検出されたことに応答して、データ記憶手段の所定の場所に記憶されているデータを前記カメラ装置へ転送する転送処理と
を実行させるためのプログラム。
【発明の詳細な説明】
【技術分野】
【０００１】
本発明は、デジタルカメラ等の撮像装置にデータ転送を行う機能を備えたデータ保持装置と、そのデータ転送方法に関するものである。
【背景技術】
【０００２】
従来、ＣＣＤやＣＭＯＳセンサ等の撮像素子により撮像した被写体画像を、各種の記録媒体にデジタルデータとして記録するデジタルカメラにおいては、記録した画像や撮影待機状態で撮像したスルー画像を表示する液晶モニタ等の表示装置と、外部機器との間におけるデータ転送を可能とする有線や無線（赤外線を含む）による通信インターフェースを備えたものが一般的である。上記外部機器は、例えばパーソナルコンピュータや画像プリンタであり、また、転送対象となるデータは、例えば記録媒体に記録されている画像ファイル等の各種のデータファイルである。
【０００３】
一方、下記特許文献１には、通信インターフェースを備えたデジタルカメラにおいて外部機器へのデータ転送を容易に行うための技術として、例えばパーソナルコンピュータにおいて、デジタルカメラが接続されたことをトリガとしてリンクソフト（接続プログラム）を自動的に起動させ、またはリンクソフトを有していない場合にあっては、それをデジタルカメラから自動的にロードさせ、かつそれを自動的に起動させることによって、デジタルカメラから記録画像を自動的に取り込む動作を行わせる技術が開示されている。
【特許文献１】特開２０００−２１５０３３号公報
【発明の開示】
【発明が解決しようとする課題】
【０００４】
しかしながら、上述した技術は、デジタルカメラに記録されている記録画像をパーソナルコンピュータ等の外部機器で使用する場合には有効であるが、それとは逆に外部機器に記録されている画像ファイルをデジタルカメラで使用したい場合には使用することはできない。したがって、その場合においては、手動によってデジタルカメラへのデータ転送を行う必要があり、その作業が煩雑であるといった問題があった。
【０００５】
本発明は、かかる従来の課題に鑑みてなされたものであり、カメラ装置へのデータ転送を容易に行うことができるデータ保持装置、及びデータ転送方法を提供することを目的とする。
【課題を解決するための手段】
【０００６】
前記課題を解決するため請求項１の発明にあっては、撮像素子によって被写体画像を撮像して記録媒体に記録するとともに、記録した画像を表示手段に表示するカメラ装置に対し、自己が記憶するデータを転送可能なデータ保持装置であって、前記データを記憶するデータ記憶手段と、前記カメラ装置が接続されたことを検出する検出手段と、この検出手段により前記カメラ装置の接続が検出されたことに応答して、前記データ記憶手段の所定の場所に記憶されているデータを前記カメラ装置に転送する転送手段とを備えたものとした。
【０００７】
かかる構成においては、所望するデータを、データ保持装置におけるデータ記憶手段の所定の場所に予め記憶させておくことにより、データ保持装置にカメラ装置を接続するだけで、所望するデータを直ちにカメラ装置に転送することができる。
【０００８】
また、請求項２の発明にあっては、前記転送手段の転送対象となるデータを、転送先のカメラ装置が有するデータ処理機能に応じたデータに変換する変換手段を備えたものとした。
【０００９】
かかる構成においては、転送するデータが、転送先のカメラ装置が有するデータ処理機能に対応するものでなくとも、転送先のカメラ装置において再生して使用することができる。
【００１０】
また、請求項３の発明にあっては、前記検出手段により接続が検出されたカメラ装置を識別する識別手段を備え、前記転送手段は、前記識別手段により識別されたカメラ装置に対応して設けられている所定の場所に記憶されているデータをそのカメラ装置に転送することをものとした。
【００１１】
かかる構成においては、複数のカメラ装置に、それぞれ異なるデータを転送する場合における誤った転送作業が防止できる。
【００１２】
また、請求項４の発明にあっては、前記転送手段により転送されるデータに、データ保持装置により転送されたものであることを示す転送情報を付加する付加手段を備えたものとした。
【００１３】
かかる構成においては、カメラ装置に転送したデータを、必要に応じて他のデータと識別することができる。
【００１４】
また、請求項５の発明にあっては、前記転送手段は、前記検出手段によりカメラ装置の接続が検出されたことに伴う、前記データ記憶手段の所定の場所に記憶されているデータの転送に先立って、転送先のカメラ装置に過去の転送動作によって記憶された既存するデータを削除する削除手段を含むものとした。
【００１５】
かかる構成においては、カメラ装置側の容量不足による転送不良等を極力防止することができる。
【００１６】
また、請求項６の発明にあっては、自己が記憶するデータを転送可能なデータ保持装置における、撮像素子によって被写体画像を撮像し記録媒体に記録するとともに、記録した画像を表示手段に表示するカメラ装置に対する前記データの転送方法であって、前記カメラ装置が接続されたことを検出し、その検出に応答して、所定の場所に記憶されているデータを前記カメラ装置へ転送する方法とした。
【００１７】
かかる方法によれば、所望するデータを、データ保持装置におけるデータ記憶手段の所定の場所に予め記憶させておくことにより、データ保持装置にカメラ装置を接続するだけで、所望するデータを直ちにカメラ装置に転送することができる。
【００１８】
また、請求項７の発明にあっては、撮像素子によって被写体画像を撮像し記録媒体に記録するとともに、記録した画像を表示手段に表示するカメラ装置に対し、自己が記憶するデータを転送可能なデータ保持装置が有するコンピュータに、前記カメラ装置が接続されたことを検出する検出処理と、この検出処理により前記カメラ装置の接続が検出されたことに応答して、データ記憶手段の所定の場所に記憶されているデータを前記カメラ装置へ転送する転送処理とを実行させるためのプログラムとした。
【発明の効果】
【００１９】
本発明のデータ保持装置、データ転送方法においては、データ保持装置にカメラ装置を接続するだけで、所望する画像データ等のデータを直ちにカメラ装置に転送することができるようにした。よって、カメラ装置へのデータ転送を極め容易に行うことが可能となる。
【００２０】
また、転送する画像データ等が、転送先のカメラ装置が有するデータ処理機能に対応するものでなくとも、それを転送先のカメラ装置において再生して使用することができたり、複数のカメラ装置に、それぞれ異なるデータを転送する場合における誤った転送作業が防止できたり、さらには、カメラ装置側の容量不足による転送不良等を極力防止することができるようにした。よって、高い利便性を確保することができる。
【００２１】
また、カメラ装置に転送したデータを、必要に応じて他のデータと識別することができるようにした。よって、転送後において転送したデータを扱う際の使い勝手を向上させることができる。
【発明を実施するための最良の形態】
【００２２】
以下、本発明の一実施の形態を図にしたがって説明する。図１は、本発明のデータ保持装置であるパーソナルコンピュータ（以下、ＰＣという）１と、本発明のカメラ装置であるデジタルカメラ５１とがＵＳＢ通信ケーブル３０を介して接続された状態を示した図である。
【００２３】
ＰＣ１は一般的な構成を有するものであり、主として本体２と、本体２に接続されたキーボードやマウス等の入力装置３と、ＬＣＤやＣＲＴからなる表示装置４とから構成されている。図２はＰＣ１の電気的構成の概略を示すブロック図である。図示したようにＰＣ１は、上記入力装置３及び表示装置４と、制御部５、ＲＡＭ６、記憶装置７、ＵＳＢ通信インターフェース８を備えている。本体２にはＵＳＢ通信インターフェース８の接続ポートが設けられ、そこにＵＳＢ通信ケーブル３０が接続されており、図１に示した状態においてＰＣ１は、ＵＳＢ通信ケーブル３０を介して外部機器であるデジタルカメラ５１との間におけるデータ通信が可能となっている。
【００２４】
前記制御部５は、ＣＰＵと、その周辺回路や、カレンダ機能を有する内蔵時計等から構成されており、ＲＡＭ６を外部メモリとして使用し装置全体を制御する。記憶装置７は記憶容量の比較的大きなハードディスクであり、記憶装置７には任意のＯＳ（オペレーティングシステム）、及びその他のアプリケーションプログラム等のデータが記憶されている本発明のデータ記憶手段である。
【００２５】
図３は、前記記憶装置７に記憶されているデータの一部を示した図である。記憶装置７には、制御部５に後述するデータ転送処理を行わせることにより、制御部５を本発明の検出手段、転送手段、変換手段、識別手段、付加手段として機能させるためのデータ転送プログラム１０１と、上記データ転送動作に際して使用されるカメラ情報ファイル１０２及びフォルダ情報ファイル１０３が記憶されている。
【００２６】
カメラ情報ファイル１０２は、図１に示したようにＵＳＢ通信ケーブル３０を介してＰＣ１と接続可能なデジタルカメラの種類を示す機種名１１１と、各機種のデジタルカメラにおいて使用することができるデータの種別、つまり再生可能なデータの情報であるデータ種別１１２と、その種別毎のデータの詳細情報であるデータ詳細１１３とから構成されている。データ種別１１２としては、例えば静止画、動画、音楽、テキスト等の１又は複数のデータ種別が記述されている。またデータ詳細１１３としては、使用可能データ種別１１２に記述されている種別毎の再生可能なデータ形式等であって、例えば静止画や動画の場合にはファイル形式（ＪＰＥＧ、ＲＡＷ、ＴＩＦＦ、Ｍｏｔｉｏｎ  ＪＰＥＧ、ＡＶＩ、ＭＰＥＧ等）と、画像サイズとが記述され、音楽データの場合にはファイル形式（ＭＰ３等）が記述されている。すなわちデータ種別１１２とデータ詳細１１３は、接続可能なデジタルカメラにおける機種別のデータ処理機能を示す情報である。
【００２７】
また、フォルダ情報ファイル１０３は、ＰＣ１に接続された任意のデジタルカメラから取得された、デジタルカメラを特定するための識別情報であるカメラＩＤ１１４と、各カメラＩＤ１１４に対応するフォルダ名１１５とから構成されている。本実施の形態においてカメラＩＤ１１４は機種名と製造番号である。また、フォルダ名１１５は、記憶装置７内に作成されているとともに、図４に示したように、カメラＩＤ１１４により特定される個々のデジタルカメラ（図ではカメラＡ，Ｂ，Ｃ）に対応して事前に作成されている作業用の転送元フォルダ２０１の名称（図ではＥｘｐｏｒｔフォルダ１，２，３）である。なお、転送元フォルダ２０１は、例えば使用するデジタルカメラをＰＣ１に接続した状態で、前記データ転送プログラム１０１に設けられている登録機能を用いて作成されたものであり、フォルダ情報ファイル１０３は、新たな転送元フォルダ２０１が作成される毎に更新されるデータである。
【００２８】
一方、前記デジタルカメラ５１は、静止画像、動画像の撮影機能を備えたものであって、本体５２の背面側に、表示手段である液晶モニタ５３、光学ファインダ５４、メニューキー５５、モード選択キー５６が設けられている。
【００２９】
図５は、デジタルカメラ５１の電気的構成を示すブロック図である。図示したようにデジタルカメラ５１は撮像素子としてＣＣＤ６１を有している。ＣＣＤ６１は、ＣＰＵ６２の命令に従いタイミング発生器（ＴＧ：Timing Generator）６３によって生成されたタイミング信号に基づき、垂直及び水平ドライバ６４によって駆動され、アナログの撮像信号をユニット回路６５に出力する。ユニット回路６５は、ＣＣＤ６１の出力信号に含まれるノイズを相関二重サンプリングによって除去するＣＤＳ回路や、ノイズが除去された撮像信号をデジタル信号に変換するＡ／Ｄ変換器等から構成され、デジタルに変換した撮像信号を画像処理部６６へ出力する。
【００３０】
画像処理部６６は、入力した撮像信号に対してペデスタルクランプ等の処理を施し、それを輝度（Ｙ）信号及び色差（ＵＶ）信号に変換するとともに、オートホワイトバランス、輪郭強調、画素補間などの画品質向上のためのデジタル信号処理を行う。画像処理部６６で変換されたＹＵＶデータは、バス６７を介して順次ＳＤＲＡＭ６８に格納され、記録モードでの撮影待機状態では、１フレーム分のデータ（画像データ）が蓄積される毎にビデオ信号に変換され、前記液晶モニタ（ＬＣＤ）５３へ送られてスルー画像として画面表示される。
【００３１】
ＳＤＲＡＭ６８に一時記憶された画像データは、静止画撮影時においては、ＣＰＵ６２により圧縮され、ＪＥＧ等の所定のフォーマットの画像ファイルとして外部メモリ６９に記録される。また、動画撮影時においては、ＣＰＵ６２によりフレーム毎に逐次圧縮され、最終的にはＭＰＥＧ等の所定のフォーマットの画像ファイルとして外部メモリ６９に記録される。外部メモリ６９は、図示しないカードインターフェイスを介して接続されたカメラ本体に着脱自在なメモリカードであり、外部メモリ６９に記録された画像ファイルは、再生モードにおいてユーザーの選択操作に応じてＣＰＵ６２に読み出されるとともに伸張され、ＹＵＶデータとしてＳＤＲＡＭ６８に展開された後、液晶モニタ５３に静止画像又は動画像として表示される。
【００３２】
フラッシュメモリ７０には、ＣＰＵ６２に上記各部を制御させるための各種のプログラム、例えばＡＥ、ＡＦ、ＡＷＢ制御用のプログラムや、静止画像及び動画像の圧縮伸張プログラムが格納されており、またユーザーによって設定された動作内容の設定データ等が必要に応じて記憶される。
【００３３】
また、前記バス６３には、前述したメニューキー５５、モード選択キー５６や、図示しない電源キー、シャッターキー等の複数の操作キー及びスイッチを含むキー入力部７１が接続されており、ユーザーによるキー操作内容に応じた操作信号が、随時ＣＰＵ６２へ送られる。さらに、バス６３にはＵＳＢ通信インターフェース７２が接続されている。デジタルカメラ５１の本体２にはＵＳＢ通信インターフェース７２の接続ポートが設けられ、そこにＵＳＢ通信ケーブル３０が接続されており、図１に示した状態において、デジタルカメラ５１は、ＵＳＢ通信ケーブル３０を介して外部機器であるＰＣ１との間におけるデータ通信が可能となっている。
【００３４】
次に、前述したＰＣ１において、前記データ転送プログラムが実行されているときの動作を図６のフローチャートに従って説明する。
【００３５】
ＰＣ１は、データ転送プログラムが実行されているとき、デジタルカメラ５１が接続されると（ステップＳ１ＹＥＳ）、デジタルカメラ５１を外部機器として認識するとともに、デジタルカメラ５１から機種名を含むカメラＩＤを取得して、当該カメラを識別する（ステップＳ２）。次に、ここで取得したカメラＩＤに基づき前記フォルダ情報ファイル１０３によって、接続されたデジタルカメラ５１に対応する転送元フォルダ２０１を特定した後（ステップＳ３）、デジタルカメラ５１の外部メモリ６９に所定の転送先フォルダ３０１（図１でＩｎｐｒｏｔフォルダ）が存在するか否かを確認する（ステップＳ４）。このとき転送先フォルダ３０１が存在していれば（ステップＳ４でＹＥＳ）、転送先フォルダ３０１内の全てのデータを消去し（ステップＳ５）、それが存在していなければ新たに転送先フォルダ３０１を作成する（ステップＳ６）。
【００３６】
そして、ステップＳ３で特定した転送元フォルダ２０１に転送ファイル（未処理の転送ファイル）が存在していれば（ステップＳ７でＹＥＳ）、各転送ファイルを処理対象として以下の処理を繰り返し実行する。なお、ここでは、現在接続されているデジタルカメラ５１に対応する転送元フォルダ２０１に、例えば図１に示したように、音楽データ、動画データ、ＴＥＸＴデータ、静止画データの各データファイルが格納されているものとする。
【００３７】
まず、処理対象のファイルが画像ファイル（静止画像又は動画像）であったときには（ステップＳ８でＹＥＳ）、ステップＳ２で取得した機種名に基づき前記カメラ情報ファイル１０２によって、そのデータ形式や画像サイズがデジタルカメラ５１の規定から外れるか否かを確認することにより、データ変換が必要か否か判断する（ステップＳ９）。そして、必要でない場合（データ形式や画像サイズが規定内の場合）には（ステップＳ９でＮＯ）、当該転送ファイルのヘッダを書き換えた後（ステップＳ１３）、デジタルカメラ５１の転送先フォルダ３０１に転送する（ステップＳ１４）。なお、上記ヘッダの書き換え処理は、当該ファイルが転送されたことを示すために行う最小限の加工処理であり、本実施の形態においては、データ転送プログラムの名称等の文字情報を、当該ファイルが転送されたことを示す転送情報として付加する処理である。
【００３８】
逆に、データ変換が必要であった場合、例えば転送元フォルダ２０１にある動画データや静止画データの形式が、デジタルカメラ５１が対応していないファイル形式であったり、ファイル形式は対応しているが画像サイズ（解像度）が規定の最大サイズを超えている等の場合には（ステップＳ９でＹＥＳ）、表示装置４に所定の指示画面を表示するなどしてユーザーに変換の可否を指定させ、変換が指示されれば（ステップＳ１０でＹＥＳ）、当該データのファイル形式や画像サイズをデジタルカメラ５１の規定に合わせるデータ変換を行った後（ステップＳ１１）、前述したヘッダの書き換え処理を行い（ステップＳ１３）、変換後の動画データや静止画データを転送先フォルダ３０１に転送する（ステップＳ１４）。また、変換が指示されなかったときには（ステップＳ１０でＮＯ）、そのままヘッダの書き換え処理へ進む。また、データ転送後は、ステップＳ７へ戻り他の転送ファイルを対象として処理を続ける。
【００３９】
一方、前述したステップＳ８の判別結果がＮＯであって、処理対象のファイルが画像ファイル以外、つまり音楽データやＴＥＸＴデータのように、デジタルカメラ５１において再生できない種別のデータのファイルであったときには（ステップＳ８でＹＥＳ）、いったん表示装置４に所定の指示画面を表示するなどしてユーザーに転送の可否を指定させ、転送が指示された場合には（ステップＳ１２でＹＥＳ）、当該ファイルについてもヘッダを書き換え（ステップＳ１３）、転送先フォルダ３０１に転送する（ステップＳ１４）。また変換が指示されなかったときには（ステップＳ１２でＮＯ）、当該ファイルを無視して、ステップＳ７へ戻り他の転送ファイルを対象として処理を続ける。
【００４０】
そして、転送元フォルダ２０１にある全ての転送ファイルを対象として上述した処理を完了したら（ステップＳ７でＮＯ）、その時点で、表示装置４に転送が終了したことを表示し（ステップＳ１５）、全ての処理を終了する。なお、転送処理を開始した直後におけるステップＳ７の判別結果がＮＯであって、ステップＳ３で特定した転送元フォルダ２０１に転送ファイルが何も存在していないときには、何もせずにそのまま、処理を終了する。
【００４１】
したがって、本実施の形態によれば、ユーザーは、ＰＣ１上において予め転送したい１又は複数の任意のデータを、カメラ毎に対応する転送元フォルダ２０１（図４）に準備しておけば、ＰＣ１にデジタルカメラ５１を接続するだけで、それらのデータを直ちにデジタルカメラ５１に転送することができる。よって、データ転送作業が容易となる。また、本実施の形態においては、転送先のデジタルカメラ５１において使用（再生）できない種別のデータも転送できるため、デジタルカメラ５１を単なるデータ保存、又はデータ移動用の装置として使用する場合においても、データの転送作業が容易であり便利である。特に、デジタルカメラ５１を上記の目的で使用する場合、転送に際してファイルヘッダの書き換えが行われているため、デジタルカメラ５１以外の他の機器でデータを使用するとき、そのデータの由来を知ることができるため都合がよい。
【００４２】
なお、本実施の形態においては、転送元フォルダ２０１内のデータに、デジタルカメラ５１において再生できない種別のデータがあったときには、そのデータについては、ユーザーが所望する場合にのみ転送するようにしたが、無条件に転送するようにしたり、無条件に転送対象から除外するようにしたりしてもよい。また、係るデータの転送の可否をユーザーに予め一括して設定させるようにしてもよい。
【００４３】
また、本実施の形態においては、転送する静止画データや動画データの形式やサイズが規格外である場合には、自動的にそれを、再生可能な規格のデータに変換できるため、例えば性能が異なる他のデジタルカメラで記録した静止画像や動画像についても、転送先のデジタルカメラ５１でそのまま利用することができる。
【００４４】
なお、本実施の形態においては、上記のデータ変換処理を、デジタルカメラ５１側へ転送する直前に行なうようにしたが、転送元フォルダ２０１は転送先のデジタルカメラ５１に対応しているため、ユーザーが所望するファイルを転送元フォルダ２０１に用意する（書き込む）時点で、自動的に行なわせるようにしてもよい。また、上記データ変換処理の可否をユーザーにその都度指定させるようにしたが、それを無条件に実施するようにしたり、ユーザーに予め一括して設定させるようにしてもよい。その場合には、それをデータ形式と画像サイズに関する変換処理の可否を別々に、例えばデータ形式の変換は行わないが、画像サイズは必ず行うといった設定を可能とすることが好ましい。
【００４５】
また、本実施の形態においては、ＰＣ１において接続されたデジタルカメラ５１を識別して、それに対応する転送元フォルダ２０１に用意されているデータだけを自動的に転送する構成であるため、例えば１台のＰＣ１に複数台のデジタルカメラ５１が接続される場合であっても、誤ったデータファイルを、誤ったデジタルカメラ５１に転送してしまうことがない。また、複数台のデジタルカメラ５１に対するデータ転送作業をまとめて行う場合には、ＰＣ１に接続するデジタルカメラ５１を交換するだけでよいため、その場合における作業性が極めてよい。
【００４６】
また、個々のファイルの転送に先立ち、デジタルカメラ５１の転送先フォルダ３０１に存在する全ファイルを削除するようにしたことから、外部メモリ６９の空き容量不足によって転送作業ができなかったり、中断したりするといった不具合の発生を未然に防止することができる。
【００４７】
なお、本実施の形態においては、デジタルカメラ５１（外部メモリ６９）に転送先フォルダ３０１を設け、そこに転送元フォルダ２０１に用意されているデータを転送させるようにしたが、転送先フォルダ３０１は必ずしも設けなくともよい。また、その場合には、外部メモリ６９に記録されている画像ファイル等のヘッダによって転送されていたファイルか否かを確認することにより、それらを削除するようにすれば、外部メモリ６９の空き容量不足による上述した不具合の発生を未然に防止することができる。
【００４８】
また、本実施の形態においては、本発明のデータ保持装置がＰＣ１である場合について説明したが、その他の電子機器（デジタルカメラであっても構わない）に、本発明を採用することもできる。また、本発明におけるカメラ装置として一般的なデジタルカメラ５１を示したが、カメラ装置については、カメラ付き携帯電話機等の他のカメラ装置であってもよく、データ通信方式はＵＳＢ以外の他の方式によるものであっても構わない。
【図面の簡単な説明】
【００４９】
【図１】本発明に係るパーソナルコンピュータとデジタルカメラとの接続状態を示すシステム構成図である。
【図２】パーソナルコンピュータの概略構成を示すブロック図である。
【図３】同パーソナルコンピュータの記憶装置に記録されているデータの一部を示した図である。
【図４】同パーソナルコンピュータの記憶装置に確保されている転送元フォルダを示す図である。
【図５】デジタルカメラの電気的構成を示すブロック図である。
【図６】パーソナルコンピュータにおける本発明に係る動作を示すフローチャートである。
【符号の説明】
【００５０】
１    パーソナルコンピュータ（ＰＣ）
５    制御部
６    ＲＡＭ
７    記憶装置
８    ＵＳＢ通信インターフェース
３０    ＵＳＢ通信ケーブル
５１    デジタルカメラ
５３    液晶モニタ
６１    ＣＣＤ
６２    ＣＰＵ
６９    外部メモリ
７２    ＵＳＢ通信インターフェース
１０１    データ転送プログラム
１０２    カメラ情報ファイル
１０３    フォルダ情報ファイル
２０１    転送元フォルダ
【図１】
2006024046.tif 000003
【図２】
2006024046.tif 000004
【図３】
2006024046.tif 000005
【図４】
2006024046.tif 000006
【図５】
2006024046.tif 000007
【図６】
2006024046.tif 000008